【手続補正書】
【提出日】平成21年8月27日(2009.8.27)
【手続補正１】
【補正対象書類名】明細書
【補正対象項目名】００１５
【補正方法】変更
【補正の内容】
【００１５】
なお、本実施の形態では、クーポン発行端末３を店舗の入口に設置するが、例えば、店外の敷地内、あるいは、店舗が複合施設にテナントとして存在する場合は複合施設内など、店舗の属する領域内に設置することができる。
また、図１では、店舗を１つのみ示しているが、これは複数存在することができ、それぞれの店舗にクーポン発行端末３が設置されている。
【手続補正２】
【補正対象書類名】明細書
【補正対象項目名】００２７
【補正方法】変更
【補正の内容】
【００２７】
以上の例では、クーポンカード５をＩＣチップを内蔵した非接触式ＩＣカードとして説明したが、クーポンカード５を接触式ＩＣカードによって構成することも可能である。
この場合、クーポンカード５には、接触端子が設けられ、一方、リーダライタ１７側にも接触端子が設けられる。そして、両接触端子が接触することにより、クーポンカード５とクーポン発行端末３、及びクーポンカード５とキャッシュレジスタ４が通信を行う。
【手続補正３】
【補正対象書類名】明細書
【補正対象項目名】００３０
【補正方法】変更
【補正の内容】
【００３０】
クーポン機能部３３は、クーポンカード５に埋め込まれているのと同様の構成を有する電子マネーＩＣチップとアンテナを備えており、インターフェース部３２によってクーポンアプリケーション部３１と接続している。
クーポン機能部３３には、クーポンカード５と同様に、電子マネーＩＣチップ内で、ＥＥＰＲＯＭに記憶されたバリュー処理プログラムをＣＰＵが実行することにより、端末通信部２１、クーポン処理部２２、記憶部２３などが形成されている。
クーポン処理部２２は、端末通信部２１を介してクーポン発行端末３やキャッシュレジスタ４と通信し、クーポンカード５と同様の機能を発揮する。
以下では、顧客がクーポンカード５を用いてクーポンを使用する場合について説明するが、携帯電話７を用いて同様にクーポンを使用することもできる。
【手続補正４】
【補正対象書類名】明細書
【補正対象項目名】００５７
【補正方法】変更
【補正の内容】
【００５７】
クーポン発行端末３は、クーポンサーバ２からクーポン情報を受信すると、これをデータ格納部５９に記憶する（ステップ１５）。
この際、クーポン発行端末３は、以前に記憶していたクーポン情報を消去して、クーポンサーバ２から受信したクーポン情報を記憶することにより、データ格納部５９に記憶しているクーポン情報を最新のものに更新する。
なお、これは一例であり、例えば、クーポン発行端末３は、予め設定した所定の日にちを経過したクーポン情報を消去し、その空きエリアにクーポンサーバ２から送信されてきたクーポン情報を記憶するように構成することもできる。
【手続補正５】
【補正対象書類名】明細書
【補正対象項目名】００６０
【補正方法】変更
【補正の内容】
【００６０】
図９は、クーポン発行端末３がクーポンカード５にクーポン情報を記憶させる手順を説明するためのフローチャートである。
まず、顧客が店舗に入場し、自己のクーポンカード５をクーポン発行端末３のリーダライタ１７にかざしたり、あるいは置いたりして近接させる。
クーポン発行端末３は、クーポンカード５がリーダライタ１７に近接すると、これを検知してクーポンカード５に電力を無線にて送信し、クーポンカード５のＣＰＵ１０を起動する。
クーポンカード５でＣＰＵ１０が駆動すると、クーポンカード５とクーポン発行端末３が無線により接続し、クーポンカード５のＣＰＵ１０とクーポン発行端末３のＣＰＵ５１が通信を開始する。そして、以下のように、ＣＰＵ１０とＣＰＵ５１が協働して情報処理を行う。このように、クーポンカード５のＩＣチップは、店舗の属する領域内に設置された端末装置（クーポン発行端末３）と接続する接続手段を備えており、また、クーポン発行端末３は、ＩＣチップの接続を受け付ける接続受付手段を備えている。
【手続補正６】
【補正対象書類名】明細書
【補正対象項目名】００６２
【補正方法】変更
【補正の内容】
【００６２】
クーポン発行端末３は、クーポンカード５から会員番号を受信してＲＡＭ５３に記憶し、これによってクーポンカード５を特定する。
次に、クーポン発行端末３は、クーポンカード５にクーポン読取コマンドを送信し、クーポンカード５が記憶しているクーポン情報を要求する（ステップ４０）。
【手続補正７】
【補正対象書類名】明細書
【補正対象項目名】００６４
【補正方法】変更
【補正の内容】
【００６４】
クーポン発行端末３は、クーポンカード５からクーポン情報を受信し、ＲＡＭ５３に記憶する。
クーポン発行端末３は、ＲＡＭ５３に記憶したクーポン情報の利用フラグが未使用か使用済みであるかを確認し、使用済みであるクーポン情報を特定する。
そして、クーポン発行端末３は、使用済みのクーポン情報が記憶されているエリアを指定してクーポン書込コマンドを送信することによりクーポン情報を送信する（ステップ５０）。
【手続補正８】
【補正対象書類名】明細書
【補正対象項目名】００６５
【補正方法】変更
【補正の内容】
【００６５】
クーポンカード５では、端末通信部２１がクーポン書込コマンドによってクーポン情報を受信し、クーポン処理部２２に入力する。
クーポン処理部２２は、クーポン書込コマンドを実行し、記憶部２３の指定されたエリアにクーポン情報を上書きして記憶する（ステップ５５）。
【手続補正９】
【補正対象書類名】明細書
【補正対象項目名】００７３
【補正方法】変更
【補正の内容】
【００７３】
次に、顧客がクーポンカード５をキャッシュレジスタ４のリーダライタに置くなどして近接させる。
キャッシュレジスタ４は、クーポンカード５がリーダライタに近接されるとこれに電力を供給してクーポンカード５のＣＰＵ１０を起動する。
そして、無線通信を介して、クーポンカード５のＣＰＵ１０とキャッシュレジスタ４のＣＰＵ５１が接続し、ＣＰＵ１０とＣＰＵ５１が協働して情報処理を行う。
【手続補正１０】
【補正対象書類名】明細書
【補正対象項目名】００８７
【補正方法】変更
【補正の内容】
【００８７】
なお、クーポンカード５の代わりに携帯電話７を用いる場合、携帯電話７をクーポン発行端末３にかざしてクーポン発行端末３からクーポン情報を受け取ってもよいし、あるいは、携帯電話７からクーポンウェブサイトにアクセスしてネットワーク経由でクーポン情報を受け取ってもよい。
そして、携帯電話７に記憶したクーポン情報を使用する場合は、携帯電話７をキャッシュレジスタ４のリーダライタに近接させ、クーポンカード５と同様にしてクーポン情報を使用する。
【手続補正１１】
【補正対象書類名】明細書
【補正対象項目名】００８８
【補正方法】変更
【補正の内容】
【００８８】
また、近年では、ＩＣチップに電子マネー機能を持たせることも盛んに行われている。これは、ＩＣチップに、バリューと呼ばれる金額情報を記憶させ、これを増減することにより、貨幣の代用とするものである。
一般に、ＩＣチップは、複数のソフトウェアを組み込むことが可能であり、電子マネー機能と、本実施の形態で説明したクーポン機能とをクーポンカード５や携帯電話７に組み込むことが可能である。
【手続補正１２】
【補正対象書類名】明細書
【補正対象項目名】００９０
【補正方法】変更
【補正の内容】
【００９０】
このようなシステムでは、クーポン情報の使用とバリューによる決済を関連づけ、顧客が電子マネーにより支払を行う場合にクーポン情報を使用可能とすることができる。
この場合、顧客がクレジットカードなど、電子マネー以外の決済手段で決済する場合、キャッシュレジスタ４は、クーポン画面４０を表示せず、顧客が電子マネーで決済する場合クーポン画面４０を表示装置に表示する。
この例では、キャッシュレジスタ４は、クーポンカード５のＩＣチップの電子マネー支払機能による電子マネーでの支払の選択を受け付ける支払選択受付手段を備え、前記電子マネーでの支払選択を受け付けた場合に前記顧客に割引対象である商品を表示する。